(57)【要約】【課題】スプリングを用いずに、ノック時の衝撃音が無くかつノック不良が無く作動が確実で全長を短くでき使い易い複式筆記具を提供する。【解決手段】この複式筆記具は、ノック操作によって複数の筆記体１０、１０のうちから特定の筆記体１０を選択的に繰り出す構造のトグルリンク機構１４により筆記体１０の繰り出の切り替えを行う構造である。【選択図】図１
2014000756.tif 000002
【特許請求の範囲】
【請求項１】
複数の筆記体を収容して、各筆記体を軸筒先端から選択的に突出・没入可能な複式筆記具において、
ノック操作によって複数の筆記体のうちから特定の筆記具を選択的に繰り出す構造のトグルリンク機構により筆記体の繰り出しの切り替えを行う構造であることを特徴とする複式筆記具。
【請求項２】
トグルリンク機構は、後部の支点が軸筒に支持されて揺動可能な各第１のアームと、各第１のアームの先方側の揺動端同士を繋ぐリンクアームと、各第１のアームの揺動端に一端が支持され、かつ、他端が各筆記体に繋がる各第２のアームとを備えており、
前記各第１のアームのうちの一つが軸筒中心軸に近接する第一の方向に移動するとそれに繋がる第２のアームが筆記体を突出させると共に、リンクアームを介して前記各第１のアームのうちの他の一つが軸筒中心軸から離れる方向に移動して、それに繋がる第２のアームが筆記体を軸筒先端から没入させるように構成されたことを特徴とする請求項１に記載の複式筆記具。
【発明の詳細な説明】
【技術分野】
【０００１】
本発明は、１本の軸筒に２本以上のボールペンリフィール等の筆記体を備えて選択的に筆記体を繰り出せる複式筆記具に関する。
【背景技術】
【０００２】
従来、多色ボールペン等の複式筆記具の繰り出機構として、特開２００７−１１８３９８号公報（：特許文献１）、特開２００９−１８４３５１号公報（：特許文献２）で示されるような「ノック棒スライド式」や、後軸の軸筒に対する回転方向を切り替えることによってリフィールを選択して繰り出す「円筒カムによる回転式」や、軸筒の傾ける方向によって振り子の向きを変えて繰り出すリフィールを選択する「セレクト棒による振り子式」が一般的に使われている。
【０００３】
しかながら、従来方式の繰り出機構には、次のような複数の問題点がある。
(1)  リフィールを軸内に収納するときはスプリング力によって引上げるため、リフィールが衝撃を受けて筆記不良（擦れ）や、ノック開放時の衝撃音が出る。
(２)  リフィールの反りなどでリフィール同士が軸内で接触するとノック不良（切り替え不良）となる。
(3)  スプリングを軸内に内蔵するため製品全長が長くなる。
(4)  スライド式ではリフィール繰り出し量と同じストローク分、ノック棒を動かす必要がある。
【０００４】
なお、特許文献１ではリフィール後部に合成樹脂製の押子を設けて、リフィールが後退したときに金属製の被当接部材に当てる構造を採用し、また、特許文献２では、リフィールの後部に設けた押子をリフィール後退時にエラストマー樹脂製の緩衝部に当てる構造を採用する等して、衝撃音を緩和する技術が開示されているが、さらに、衝撃音を緩和する技術というには不十分なものである。
【先行技術文献】
【特許文献】
【０００５】
【特許文献１】特開２００７−１１８３９８号公報
【特許文献２】特開２００９−１８４３５１号公報
【発明の概要】
【発明が解決しようとする課題】
【０００６】
本発明は、上述の実情に鑑み、スプリングを用いずノック時の衝撃音が無くかつノック不良が無く作動が確実で全長を短く構成して使い易い複式筆記具を提供するものである。
【課題を解決するための手段】
【０００７】
本発明は、複数の筆記体を収容して、各筆記体を軸筒先端から選択的に突出・没入可能な複式筆記具において、
ノック操作によって複数の筆記体のうちから特定の筆記具を選択的に繰り出す構造のトグルリンク機構により筆記体の繰り出しの切り替えを行う構造であることを特徴とする複式筆記具である。
【０００８】
本発明において、トグルリンク機構は、後部の支点が軸筒に支持されて揺動可能な各第１のアームと、各第１のアームの先方側の揺動端同士を繋ぐリンクアームと、各第１のアームの揺動端に一端が支持され、かつ、他端が各筆記体に繋がる各第２のアームとを備えており、
前記第１のアームのうちの一つが軸筒中心軸に近接する第一の方向に移動するとそれに繋がる第２のアームが筆記体を突出させると共に、リンクアームを介して前記第１のアームのうちの他の一つが軸筒中心軸から離れる方向に移動して、それに繋がる第２のアームが筆記体を軸筒先端から没入させるように構成されたことが好適である。
【発明の効果】
【０００９】
本発明の複式筆記具によれば、ノック操作によって複数の筆記体のうちから特定の筆記具を選択的に繰り出す構造のトグルリンク機構によりリフィール等の筆記体の繰り出しの切り替えを行う構造であることから、筆記体の繰り出しと収納のどちらもノック棒への入力によって行えるため作動が確実となる。
【００１０】
また、トグルリンク機構（トグル方式のリンク機構）で繰り出した筆記体を保持するため、軸筒の後部内の形状が簡素で部品コストが抑えられる。
【００１１】
また、スプリングが無いことにより、作動ストロークが短くできるため、トグル機構を収める軸筒部分が短くて済み、軸筒の全長が短くなり複式筆記具の携帯性が向上する。
【００１２】
また、ノック作動時に衝撃音が発生しない。また、ノック解除時に筆記体への衝撃が少ない等の優れた効果を奏し得る。
【図面の簡単な説明】
【００１３】
【図１】本発明の実施形態に係る複式筆記具の縦断した全体説明図である。
【図２】図１の複式筆記具のトグルリンク機構周辺を説明する拡大断面図である。
【図３】図１の複式筆記具の軸筒の後部の部品図で、（ａ）が開口部側から見た側面図、（ｂ）が縦断面図と横断面図、（ｃ）が後方からの視図である。
【図４】上記トグルリンク機構に設ける第１のアームの部品図で、（ａ）揺動端からの視図、（ｂ）が側面視図、（ｃ）が上面視図である。
【図５】上記トグルリンク機構に設けるリンクアームの部品図で、（ａ）が一側面図、（ｂ）が他側からの側面図である。
【図６】上記トグルリン機構の第２のアームの部品図で、（ａ）が一側面図、（ｂ）が他側からの側面図である。
【図７】上記複式筆記具のガイド部の部品図で、（ａ）が側面図、（ｂ）が縦断面図と各部横断面図、（ｃ）が後方からの視図である。
【図８】上記複式筆記具のジョイントの部品図で、（ａ）が一側面図、（ｂ）が他側からの側面図、（ｃ）が後方からの視図である。
【図９】（ａ）、（ｂ）はトグルリンク機構の作動説明図である。
【発明を実施するための形態】
【００１４】
以下、本発明の実施の形態について添付図面を参照して説明する。
【００１５】
図１〜図３は実施形態に係る複式筆記具の説明図であり、図１が当該複式筆記具の全体説明図、図２がトグルリンク機構周辺を説明する拡大断面図、図３が当該複式筆記具の軸筒の後部の部品図、図４が上記トグルリンク機構に設ける第１のアームの部品図、図５が上記トグルリンク機構に設けるリンクアームの部品図、図６が上記トグルリン機構の第２のアームの部品図、図７が上記複式筆記具のガイド部の部品図、図８が上記複式筆記具のジョイントの部品図、図９がトグルリンク機構の作動説明図である。
【００１６】
図１〜２に示すように、実施形態の複式筆記具は、複数の筆記体（ボールペンリフィール、シャープペンリフィール等）１０、１０を収容して、各筆記体１０、１０を軸筒１２の先端の開口１２ａから選択的に突出・没入可能なものである。
【００１７】
この複式筆記具には、ノック操作によって複数の筆記体１０、１０のうちから特定の筆記体１０を選択的に繰り出す構造のトグルリンク機構１４により筆記体１０の繰り出しの切り替えを行う構造である。
【００１８】
複式筆記具では、中空の軸筒１２内に前後動可能に筆記体１０、１０が収容されるが、筆記体１０、１０を前後方向に付勢するスプリングは設けられていない。前記軸筒１２は、図１等に示すように、中央部で前部・後部（符号１２ｆ・１２ｒで示す）同士がネジ結合している。軸筒１２の前部１２ｆの先端の開口１２ａが形成されている。また、筆記体１０、１０の先端部には、ポールペンやシャープペン等の筆記部となる筆記チップ１０ａ、１０ａが設けられ、先端部以外がインクやシャープペン芯を収容するチューブ体になっている。
【００１９】
前記トグルリンク機構１４を作動させることによって、選択された筆記体１０、１０の前記筆記チップ１０ａ、１０ａ先端が前記軸筒１２の先端の開口１２ａから出没するようになっている。軸筒１２の後部１２ｒには、側面に前記トグルリンク機構１４の操作用の一部が突出・没入する一対の開口部１６、１６が形成されている。
【００２０】
さらに、詳しく説明する。
前記トグルリンク機構１４は、第１のアーム２０、２０と、リンクアーム２２と、第２のアーム２４、２４とが連結されたリンク機構である。
【００２１】
各第１のアーム２０、２０は、その後部の支点１８、１８が軸筒１２に支持されて揺動端２０ａ、２０ａ側が揺動可能なものである。
詳しくは、図３に示すように、軸筒１２の後部１２ｒには、穴１８ａ、１８ａが形成され、支点１８、１８の支持軸（軸支用ピン）を装着するようになっている。図２に示すように、この支点１８、１８によって各第１のアーム２０、２０が該後部１２ｒに揺動可能に軸支されるものとしている。各第１のアーム２０、２０の揺動端２０ａ、２０ａは指が係りやすいように径方向外側に膨出している。
【００２２】
また、図４に示すように、前記第１のアーム２０は、揺動端２０ａの基部に、リンクアーム２２の支点軸（ピン等）を挿通する連結用孔２０ｂと、第２のアーム２４の支点軸（ピン等）を挿通する連結孔２０ｃが形成され、横断面がコ字状に形成されている。
また、前記リンクアーム２２は、図２に示すように、各第１のアーム２０、２０の先方側の揺動端２０ａ、２０ａ同士を繋ぐものである。
詳しくは、リンクアーム２２には、図５に示すように、各第１のアーム２０、２０は中央部が厚く、かつ、揺動端２０ａ、２０ａに繋ぐ側である、各両端部２２ａ、２２ａが薄く形成されている。各両端部２２ａ、２２ａを第１のアーム２０、２０のコ字状に溝に嵌めて、孔２２ｂ、２２ｂにピン等を挿通して軸支する構成になっている。
【００２３】
また、前記第２のアーム２４、２４は、各第１のアーム２０、２０の揺動端２０ａ、２０ａに一端２４ａ、２４ａが支持され、かつ、他端２４ｂ、２４ｂが各筆記体１０、１０の後端部に繋がるものである。
詳しくは、前記第２のアーム２４、２４は、図６に示すように、中央部が厚く、一端２４ａ、２４ａが薄く、ジョイント２６、２６に連結する他端２４ｂ、２４ｂが断面コ字状に形成されている。
これら第２のアーム２４、２４の他端２４ｂ、２４ｂには、筆記体１０、１０の後端に挿入するジョイント２６、２６に連結されている。このジョイント２６、２６は先端の棒状に突設した部分が筆記体１０、１０のチューブ状の後端内に嵌めこまれており、一方、後端の軸状のジョイント２６、２６によって前記第２のアーム２４、２４の他端２４ｂ、２４ｂが筆記体１０、１０に回動自在に連結されている。
【００２４】
前記軸筒１２内には、筆記体１０、１０を周面から抱持して前後に摺動可能に誘導・支持するガイド部材２８が設けられている。ガイド部材２８は、図７に示すように、横断面で見て二つの空洞部２８ａ、２８ａのある中空体であって、その二つの空洞部２８ａ、２８ａ内それぞれに、筆記体１０、１０を前後摺動可能に挿入している。このガイド部材２８の前端は内には、二つの空洞が連通する筒状の空間になっている。
前記ジョイント２６、２６は、図８に示すように、前端部２６ａ、２６ａが筆記体１０の後部に差し込む嵌合構造を呈しており、後端部２６ｂが前記第２のアーム２４、２４の他端２４ｂ、２４ｂの断面コ字状空間に差し込むように薄厚に形成されている。
【００２５】
本実施形態に係る複式筆記具の作動を説明する。
図２に示すように、前記第１のアーム２０、２０のうちの一つが軸筒１２中心軸１２ｃに近接する第一の方向（符号「Ｓ１」で示す）に移動すると、その移動した第１のアーム２０に繋がる第２のアーム２４がジョイント２６に前方への移動力を発生する。これにより、ジョイント２６の移動によって前記筆記体１０を前方に移動させて、筆記チップ１０ａを軸筒１２の先端開口１２ａから突出させる。
一方、リンクアーム２２を介して前記第１のアーム２０、２０のうちの他の一つが軸筒１２の中心軸１２ｃから離れる方向（符号「Ｓ２」で示す）に移動すると、その移動した第１のアームに繋がる第２のアーム２４がジョイント２６に後方への移動力を発生する。これにより、ジョイント２６の移動によって筆記体１０を後方に移動させて、筆記体１０の筆記チップ１０ａを前記軸筒１２の先端開口１２ａから没入させる。
【００２６】
図９は、トグルリンク機構１４を模式的に記載している。
第１のアーム２０、２０の後端が軸筒１２に支点１８、１８で回動可能に支持されている。支点１８、１８は、図９（ａ）の模式図で支点が符号Ａ、Ｂに該当する。また、第１のアーム２０、２０の揺動端２０ａ、２０ａがリンクアーム２２に連結されている。揺動端２０ａ、２０ａが、図９（ａ）の模式図で符号Ｃ、Ｄに該当する。
【００２７】
図９（ａ）に示すように、リンクアーム２２のレバー２２Ｄがロック方向に回ると、第１アーム２０の揺動端２０ａがリンクアーム２２との直線状態を超えて軸筒１２側に近づいた状態になり、ロックする。模式図では、ＢとＤを結んだ線よりも揺動端に相当するＣがＡ側に入り込んで、仮にＤから先がＦ方向に押し返されてもロック状態が維持する。
【００２８】
一方、図９（ｂ）に示すように、リンクアーム２２のレバー２２Ｄが開放方向に回ると、第１のアーム２０の揺動端２０ａがリンクアーム２２との直線状態から外方向に開放して、ロックが開放する。図９（ｂ）の模式図では、ＢとＤを結んだ線よりも揺動端に相当するＣがＡ側から離れていき、仮にＤから先がＦ方向に押し返されたら、より非ロック状態になる。
【００２９】
上記の実施形態の複式筆記具によれば、ノック操作によって複数の筆記体１０、１０のうちから特定の筆記体１０を選択的に繰り出す構造のトグルリンク機構１４により筆記体１０の繰り出しの切り替えを行う構造であることから、筆記体１０の繰り出しと収納のどちらもノック棒への入力によるため作動が確実となる。
【００３０】
また、トグルリンク機構（トグル方式のリンク機構）１４で繰り出した筆記体１０を保持するため、後軸内部の形状が簡素で部品コストが抑えられる。
【００３１】
また、スプリングを使用しないため作動ストロークが短くなりトグルリンク機構１４を収める軸筒１２部分が短くて済み、軸筒の全長が短くなり複式筆記具の携帯性が向上する。
【００３２】
また、スプリングを使用せず、リンク作動によることからノック作動時に衝撃音が発生しない。また、ノック解除時に筆記体への衝撃が少ない等の優れた作用効果を得られる。
【００３３】
なお、図示しないが、トグルリンク機構１４の外面にラバーシート等の可撓性の材料を装着することができる。その場合、筆記体の選択動作において、各部品の角部に直接触れないので、手指に引っ掛らずに繰り出すことができる。
【００３４】
以上より、前記実施形態では、筆記体を２本の収容した複式筆記具を説明したが、筆記体を３本以上設けた複式筆記具でも実施できる。筆記体２本ずつをセットにして軸筒に設ける等すれば、筆記体を選択的に繰り出すことができる。
【産業上の利用可能性】
【００３５】
本発明の複式筆記具は、１本の軸筒に２本以上のリフィール等の筆記体を備えたボールペン、シャープペンシル等に利用することができる。
【符号の説明】
【００３６】
１０  筆記体
１０ａ  筆記体の先端のチップ
１２  軸筒
１２ａ  軸筒の先端の開口
１２ｃ  軸筒の中心軸
１２ｆ  軸筒の前部
１２ｒ  軸筒の後部
１４  トグルリンク機構
１６  開口部
１８  支点
２０  第１のアーム
２０ａ  第１のアームの揺動端
２２  リンクアーム
２２ａ  リンクアームの端部
２２Ｄ  レバー
２４  第２のアーム
２４ａ  第２のアームの一端
２４ｂ  第２のアームの他端
２６  ジョイント
２６ａ  ジョイントの前端部
２６ｂ  ジョイントの後端部
２８  ガイド部材
２８ａ  ガイド部材の空洞部
【図１】
2014000756.tif 000003
【図２】
2014000756.tif 000004
【図３】
2014000756.tif 000005
【図４】
2014000756.tif 000006
【図５】
2014000756.tif 000007
【図６】
2014000756.tif 000008
【図７】
2014000756.tif 000009
【図８】
2014000756.tif 000010
【図９】
2014000756.tif 000011